(57)【要約】      （修正有）【課題】包装袋の袋口に水滴が付着するのを防止する袋加熱口加熱装置において、加熱バーのクリアランスを包装袋の厚みに応じて調整可能とする。【解決手段】一対のスライド軸２３，２４の各一端部に、取付ベース２８，２９を介して加熱バー３０，３１が相対向して取り付けられ、スライド軸２３，２４の他端部を回動リンクにそれぞれ軸支し、駆動モータの回転運動をベルクランク７を介して揺動運動に変換し、この揺動運動を回動リンクに伝達し、回動リンクに軸支した一対のスライド軸２３，２４を相反する方向へ出退して加熱バー３０，３１を近接・離間する駆動機構を備え、駆動機構のベルクランク７の揺動寸法を調整するストローク調整手段３５を備える。【選択図】図１
2013119393.tif 000002
【特許請求の範囲】
【請求項１】
一対のスライド軸の各一端部に、取付ベースを介して加熱バーが相対向して取り付けられ、前記スライド軸の他端部を回動リンクにそれぞれ軸支したヒート加熱機構を備え、
駆動モータの回転運動がベルクランクを介して揺動運動に変換され、この揺動運動が上下ロッドを介在させて前記回動リンクに伝達され、回動リンクに軸支した一対のスライド軸を相反する方向へ出退して前記加熱バーを近接・離間する駆動機構を備え、
前記駆動機構のベルクランクの揺動寸法を調整するストローク調整手段を備えたことを特徴とする袋口加熱装置。
【請求項２】
前記ストローク調整手段は、ベルクランクの後端部と上下ロッドを連結軸で連結し、この連結軸をベルクランクの長手方向にスライドするスクリューロッドを備えた請求項１に記載の袋口加熱装置。
【発明の詳細な説明】
【技術分野】
【０００１】
本発明は、自動袋詰包装機に設置され、袋口内面に付着する水滴を除去するために、袋口を加熱する袋口加熱装置に関し、より詳細には、例えば、水気のある食品を包装袋に充填する際、袋口に付着する水滴を加熱して除去する加熱バーのクリアランスを、包装袋の厚みに応じて調整可能な袋口加熱装置に関する。
【背景技術】
【０００２】
プラスチックフィルム製の包装袋に、被包装物を充填して袋口をシールする自動袋詰包装機として、一般的にロータリー式包装機が知られている。このロータリー式包装機は、円盤型のロータの外周部に２本を一組とするクランプアームが複数組装備されており、このクランプアームの先端のクランプが包装袋の上部両側を挟持して間欠回転し、ロータの３０度の各角度の所定箇所において袋詰め作業を行っている。
【０００３】
前記ロータリー式包装機で、水気のある食品を包装する場合、水滴が袋口内面に付着することがあるが、水滴が付着したままシールすると、シール不良が発生するので、ロータリー式包装機のシールセクションの前工程で袋口を加熱バーで加熱し水滴を蒸発させて除去する方法や装置はすでに公知である（特許文献１参照）。
【０００４】
図４は、ロータリー式包装機のシールセクションの前工程の加熱セクションにおいて、従来のシール装置を転用した包装袋の袋口を加熱するための袋口加熱装置の側面部分断面図である。以下において、このシール装置を転用した加熱装置について詳細に説明する。この図４において、１はロータリー式包装機のクランプアームを示しており、先端のクランプ２に包装袋３が挟持されて吊り下げられている。
【０００５】
ロータリー式包装機に近接して、袋口加熱装置４が配置されている。この袋口加熱装置４は、下部のマシニングボックス５内に、溝カム６が図示しない駆動モータにより常時一定速度で時計回りに回転している。
【０００６】
前記溝カム６に沿わせて、ベルクランク７が揺動可能に配置されている。このベルクランク７は略「く」の字形をしており、「く」の字形の先端軸部８が前記マシニングボックス５の基盤９に、軸受け１０を介して揺動可能に軸支されている。このベルクランク７の上端部１４には、カムフォロア１１が取り付けられ、このカムフォロア１１が前記溝カム６の溝１２に嵌まり込み、溝カム６の回転に伴ってカムフォロア１１がその溝１２にならって変位することによりベルクランク７が先端軸部８を中心に揺動する。このため、ベルクランク７は後端部１３が円弧運動を行い、溝カム６の回転運動を上下運動に変換する。
【０００７】
ベルクランク７の後端部１３には、上下方向に配置された上下ロッド１５の下端のロッドエンドが軸支している。この上下ロッド１５はベルクランク７の上下運動をさらに上方のヒート加熱機構１６に伝達する。
【０００８】
前記ヒート加熱機構１６は、不等辺三角形状の中継板１７が、図４の前後方向に配置された主軸１８に軸支し、前記上下ロッド１５の上端のロッドエンドが、この中継板１７の角部に軸支している。さらに、前記主軸１８には、前記中継板１７とは独立して回動可能な菱形の回動リンク１９が上下方向に軸支している。この菱形の回動リンク１９の上端と前記中継板１７の上部角部とが左右ロッド２０を介して連結し、前記上下ロッド１５の上下運動が、主軸１８を中心とする中継板１７の揺動運動に変換され、この中継板１７の揺動運動が左右ロッド２０の左右運動により、回動リンク１９の回動運動に変換される。
【０００９】
前記回動リンク１９には、上部中継ロッド２１と下部中継ロッド２２とが、主軸１８を挟んで、水平方向に軸支している。さらに、これらの上部中継ロッド２１と下部中継ロッド２２の端部には、それぞれ上部スライド軸２３と、下部スライド軸２４がピンにより連結している。
【００１０】
前記上部スライド軸２３と下部スライド軸２４は、上下に所定間隔をあけて水平に配置されたシリンダー２５，２６に出退自在に内嵌し、ヒート加熱機構１６のボックス２７内からクランプアーム１の上方に突出し、上部スライド軸２３と下部スライド軸２４が平行に保持されている。
【００１１】
上部スライド軸２３と下部スライド軸２４の先端には、上部取付ベース２８と下部取付ベース２９が取り付けられ、これらの取付ベース２８，２９に加熱バー３０，３１が所定のクリアランスを設けて相対向するように取り付けられている。即ち、上部スライド軸２３は下部スライド軸２４と比較してその寸法は長く設定されており、上部スライド軸２３に取り付けられた上部取付ベース２８はクランプアーム１上に位置し、下部スライド軸２４に取り付けられた下部取付ベース２９はクランプアーム１より外周側に位置し、それぞれの加熱バー３０，３１は包装袋３を挟んで対峙する。
【００１２】
前記回動リンク１９の回動運動により上部中継ロッド２１と下部中継ロッド２２を介して上部スライド軸２３と下部スライド軸２４とが相反する方向に出退することにより、その先端部に取り付けられた対向する加熱バー３０，３１が接近、離間し、包装袋３の袋口を加熱して袋口内面に付着した水滴を加熱蒸発させる。１台の袋口加熱装置では加熱蒸発が不十分であれば、この装置を二連にして使用する。
【００１３】
なお、加熱バー３０，３１で袋口を加熱する際、袋口を閉じた状態で加熱すると水滴が袋口から蒸発せずに付着したままとなり、そのままシールセクションで袋口をシールすると未蒸発の水滴が白霧状に残存して商品価値を低下させるので、本発明者は、袋口を加熱する際に、袋口に蒸気を抜く隙間を開けて加熱蒸気が通過できるような袋口シール方法及び装置を提案した（特許文献２）。袋口の内壁に付着した水滴を加熱蒸発させる場合は、この方法をとるのが好ましい。
【先行技術文献】
【特許文献】
【００１４】
【特許文献１】特開昭５３−２５１９５号公報
【特許文献２】特開２０１０−１３１８４号公報
【発明の概要】
【発明が解決しようとする課題】
【００１５】
前記袋口加熱装置は、包装袋３の厚みに応じて加熱バーのクリアランスを調整しなければならないが、従来は加熱時の加熱バー３０，３１のクリアランスの調整は、上下ロッドのロッドエンドのネジを回転して上下ロッドの長さを変更して調整を行っていた。しかしながら、上下ロッドの長さを調整して加熱バーの微妙なクリアランスの調整を行うことは困難が伴うという問題がある。
【００１６】
本発明は上記課題を解決するためになされたものであって、一対の加熱バーのクリアランスを簡単に調整することができる袋口加熱装置を提供することを目的とするものである。
【課題を解決するための手段】
【００１７】
本発明の袋口加熱装置は、一対のスライド軸の各一端部に、取付ベースを介して加熱バーが相対向して取り付けられ、前記スライド軸の他端部を回動リンクにそれぞれ軸支したヒート加熱機構を備え、駆動モータの回転運動がベルクランクを介して揺動運動に変換され、この揺動運動が上下ロッドを介在させて前記回動リンクに伝達され、回動リンクに軸支した一対のスライド軸を相反する方向へ出退して前記加熱バーを近接・離間する駆動機構を備え、前記駆動機構のベルクランクの揺動寸法を調整するストローク調整手段を備える。
【００１８】
前記ストローク調整手段は、ベルクランクの揺動寸法を長くしたり、短くしたりすることにより、ベルクランクの揺動寸法を調整し、一対のスライド軸の先端の加熱バーのクリアランスを調整する。
【発明の効果】
【００１９】
本発明は、前記構成により、ベルクランクの揺動寸法を長くしたり、短くしたりすることにより、加熱バーのクリアランスを容易に調整することができる。
【図面の簡単な説明】
【００２０】
【図１】本発明の袋口加熱装置の側面部分断面図
【図２】本発明のストローク調整手段の平面図
【図３】本発明のストローク調整手段の正面図
【図４】従来の袋口加熱装置の側面断面図
【発明を実施するための形態】
【００２１】
図１は本発明の実施例の側面部分断面図である。この実施例では前記（背景技術）に記載した袋口加熱装置と基本的な構成は同一であるので、同一部材については、図面の符号を同じくして、詳細な説明は省略する。
【００２２】
マシニングボックス５内に、図示しない駆動モータにより定速回転する溝カム６が配置されており、この溝カム６に略Ｌ字形のベルクランク７が組み合わされて配置されている。溝カム６の回転に伴ってベルクランク７の上端部１４に取り付けられたカムフォロア１１が溝１２にならって変位することにより、軸受け１０を中心に回動してベルクランク７の後端部１３は上下方向に揺動する。ベルクランク７の後端部１３の揺動により、上下ロッド１５が上下動し、この上下ロッド１５の上下動に伴って中継板１７が主軸１８を中心に揺動する。中継板１７の揺動により、図１では図示を省略しているが、図４と同様な回動リンク１９、左右ロッド２０及び中継ロッド２１，２２により、シリンダー２５，２６に内嵌した上部スライド軸２３と下部スライド軸２４が相反する方向に出退する。これらの上部スライド軸２３と下部スライド軸２４に、それぞれ取付ベース２８，２９を介して取り付けられた加熱バー３０，３１が近接、離間して包装袋３の袋口を加熱する。以上の点は前記従来技術に記載した袋口加熱装置と同一である。
【００２３】
本発明では、前記従来技術と相違してベルクランク７の後端部１３に、ストローク調整手段３５が設けられている。このストローク調整手段３５は、ベルクランク７の軸受け１０の中心点から後端部１３の連結軸３６の中心点間の揺動寸法Ｌを変更して加熱バー３０，３１のクリアランスを調整することができる。
【００２４】
即ち、ハンドル３７を回転して揺動寸法Ｌを長くすることにより、上下ロッド１５の上下動を大きくし、中継板１７の揺動及び回動リンクの回動を大きくしてスライド軸２３，２４の先端の加熱バー３０，３１の近接したときのクリアランスを小さくする。
【００２５】
逆に、ハンドル３７を回転して揺動寸法Ｌを短くすることにより、上下ロッド１５の上下動を小さくし、中継板１７の揺動及び回動リンクの回動を小さくしてスライド軸２３，２４の先端の加熱バー３０，３１の近接したときのクリアランスを大きくする。
【００２６】
図２は、ベルクランク７の後端部１３のストローク調整手段３５の平面図を示し、図３は、正面図を示している。このストローク調整手段３５は、ベルクランク７の後端部１３に一対の軸受板３８，３９がボルト４０，４１により固定され、これらの軸受板３８，３９間にスクリューロッド４４が回動可能に軸支され、このスクリューロッド４４と連結軸３６とが交叉して螺合し、前記スクリューロッド４４の外端にハンドル３７が取り付けられている。
【００２７】
即ち、前記連結軸３６には、その軸芯と交叉する方向に貫通孔が穿設され、この貫通孔の内壁に雌螺子が形成されて前記スクリューロッド４４の外周に形成された雄螺子と螺合している。スクリューロッド４４の外端のハンドル３７の回動に伴って、連結軸３６は軸受板３８と軸受板３９間を移動できる。
【００２８】
連結軸３６の一端側（図２の上側）は、前記ベルクランク７の後端部１３に穿設された長孔に、摺動可能に挿通されて後端部１３から突出している。この突出部４３とマシニングボックス５間にスプリング４５が掛け渡されている。このスプリング４５の役割については後述する。
【００２９】
連結軸３６の他端には、ボルト４６が螺合して上下ロッド１５の下部ロッドエンド４２が軸支する。ハンドル３７の回転により、スクリューロッド４４が回転して連結軸３６が図２の左右方向に移動する。連結軸３６が左右方向に移動することにより、この連結軸３６に軸支している上下ロッド１５の下部ロッドエンド４２も左右方向に移動する。
【００３０】
下部ロッドエンド４２が図２の右方向に移動することにより、前記の揺動寸法Ｌを長くすることができ、逆に左方向に移動することにより、揺動寸法Ｌを短くすることができるので、前記したような加熱バー３０，３１のクリアランスを調整することができる。
【００３１】
ストローク調整手段３５は図２のような構成に限定されるものではなく、ベルクランク７と上下ロッド１５の連結位置を変えて揺動寸法Ｌを変更できる構成のものであれば、どのような構成であってもよく、また、必ずしもハンドル３７を用いる必要もない。なお、前記袋口加熱装置は、ハンドル３７を調整して加熱バー３０，３１を圧接するようにすると、通常のシール装置として用いることができる。この袋口加熱装置を通常のシール装置として使用する場合に加熱バー３０，３１が圧接すると、その反力が溝カム６とカムフォロア１１にかかるので、その反力を低減する目的で、連結軸３６の突出部４３とマシニングボックス５の間に前記スプリング４５を掛け渡して、ベルクランク７の後端部１３を上方に付勢している。
【産業上の利用可能性】
【００３２】
本発明は、袋詰包装機の包装袋の袋口をシールする際に、袋口に水滴が付着するような場合の袋詰め包装機に有用である。
【符号の説明】
【００３３】
３    包装袋
４    袋口加熱装置
６    溝カム
７    ベルクランク
１５  上下ロッド
１６  ヒート加熱機構
１７  中継板
１８  主軸
１９  回動リンク
２３  上部スライド軸
２４  下部スライド軸
２５  シリンダー
２６  シリンダー
２８  上部取付ベース
２９  下部取付ベース
３０  加熱バー
３１  加熱バー
３５  ストローク調整手段
３６  連結軸
３７  ハンドル
３８  軸受板
３９  軸受板
４０  ボルト
４１  ボルト
４４  スクリューロッド
【図１】
2013119393.tif 000003
【図２】
2013119393.tif 000004
【図３】
2013119393.tif 000005
【図４】
2013119393.tif 000006